(57)【要約】      （修正有）【課題】ドライバーを使用しなくても取り外すことができ、かつ、容易に取り外すことができない電池蓋で覆われた電池ボックスを備える玩具を提供する。【解決手段】玩具の本体１に設けられた差し込み口３に差し込むための差し込み部４、スライドさせることで本体から突出したスライド部材５を受けるための受け部６、硬貨等によって回動できるように頭部に溝が設けられた回動させることで本体への係止とその開放が可能な回動部材７、を有し、本体から取り外す際、本体から突出したスライド部材を突出させる前の元に戻す操作と、回動部材を回動させて本体への係止を開放する操作を行い、本体の差し込み口から差し込み部を外せるようにしてから外すことにより開蓋できる電池蓋２で、電池ボックスが覆われる。【選択図】図１
0003225798.tif 000002
【実用新案登録請求の範囲】
【請求項１】
（１）玩具の本体に設けられた差し込み口に差し込むための差し込み部、
（２）スライドさせることで本体から突出したスライド部材を受けるための受け部、
（３）硬貨等によって回動できるように頭部に溝が設けられた回動させることで本体への係止とその開放が可能な回動部材、
を有し、本体から取り外す際、本体から突出したスライド部材を突出させる前の元に戻す操作と、回動部材を回動させて本体への係止を開放する操作を行い、本体の差し込み口から差し込み部を外せるようにしてから外すことにより開蓋できる電池蓋で、電池ボックスが覆われてなる電池ボックスを備える玩具。
【考案の詳細な説明】
【技術分野】
【０００１】
本考案は、電池ボックスを備える玩具に関する。
【背景技術】
【０００２】
電池で動作を行ったり音声を発したりする人形や動物のぬいぐるみなどは、幼児からお年寄りまで、飽きることなく楽しむことができる玩具として愛好されている（例えば特許文献１）。こうした玩具は、通常、電池ボックスを本体の底部や背部に備え、電池ボックスは電池蓋で覆われている。電池蓋は、幼児による電池の誤飲の防止のため、容易に取り外すことができない構成とすることが要求されているが、電池蓋を玩具の本体にネジ止めする構成の場合、電池蓋を取り外すためにはドライバーが必要である。従って、電池交換をしたいにもかかわらずドライバーが手元にないので電池交換ができない、ネジやドライバーが小サイズの場合には子供やお年寄りには扱いづらい、といった不便がある。
【先行技術文献】
【特許文献】
【０００３】
【特許文献１】実用新案登録第３１９８３５０号公報
【考案の概要】
【考案が解決しようとする課題】
【０００４】
そこで本考案は、ドライバーを使用しなくても取り外すことができ、かつ、容易に取り外すことができない電池蓋で覆われた電池ボックスを備える玩具を提供することを目的とする。
【課題を解決するための手段】
【０００５】
上記の点に鑑みてなされた本考案の電池ボックスを備える玩具は、請求項１記載の通り、
（１）玩具の本体に設けられた差し込み口に差し込むための差し込み部、
（２）スライドさせることで本体から突出したスライド部材を受けるための受け部、
（３）硬貨等によって回動できるように頭部に溝が設けられた回動させることで本体への係止とその開放が可能な回動部材、
を有し、本体から取り外す際、本体から突出したスライド部材を突出させる前の元に戻す操作と、回動部材を回動させて本体への係止を開放する操作を行い、本体の差し込み口から差し込み部を外せるようにしてから外すことにより開蓋できる電池蓋で、電池ボックスが覆われてなる。
【考案の効果】
【０００６】
本考案によれば、ドライバーを使用しなくても取り外すことができ、かつ、容易に取り外すことができない電池蓋で覆われた電池ボックスを備える玩具を提供することができる。
【図面の簡単な説明】
【０００７】
【図１】底部に電池ボックスを備える本考案の玩具の本体の底面に電池蓋が取り付けられた状態の一例を示す模式図（一部透視図）である。
【考案を実施するための形態】
【０００８】
本考案の電池ボックスを備える玩具は、
（１）玩具の本体に設けられた差し込み口に差し込むための差し込み部、
（２）スライドさせることで本体から突出したスライド部材を受けるための受け部、
（３）硬貨等によって回動できるように頭部に溝が設けられた回動させることで本体への係止とその開放が可能な回動部材、
を有し、本体から取り外す際、本体から突出したスライド部材を突出させる前の元に戻す操作と、回動部材を回動させて本体への係止を開放する操作を行い、本体の差し込み口から差し込み部を外せるようにしてから外すことにより開蓋できる電池蓋で、電池ボックスが覆われてなるものである。
【０００９】
以下、本考案の電池ボックスを備える玩具の一実施態様を図面を用いて説明するが、本考案の電池ボックスを備える玩具は以下の記載に限定して解釈されるものではない。
【００１０】
本考案の電池ボックスを備える玩具の外形は、例えば人形や動物のぬいぐるみである。電池で動作を行ったり音声を発したりする玩具の一例としては、特許文献１に記載の、利用者の音声内容を認識し、認識結果が登録されている内容と合致する時は予め用意されている内容で応答し、合致しない時は録音された利用者の音声内容を再生することを、所定の動作とともに行う玩具が挙げられる。この玩具は、電池がＯＮの状態で、例えば、音声パターンが、音声識別部に登録されている標準パターンとして存在する、利用者の音声内容である「おはよう」が集音部から入力されると、予め用意されている「おはよう、今日も一日がんばろう」との応答を行うとともに、駆動部において所定の動作（首を振ったり手をパタパタしたり）を行う。一方、音声パターンが、音声識別部に登録されている標準パターンとして存在しない、利用者の音声内容である「いちにっさん」が集音部から入力されると、録音部に録音された利用者の音声内容の再生を行うとともに、駆動部において所定の動作（首を振ったり手をパタパタしたり）を行う。
【００１１】
図１は、底部に電池ボックスを備える本考案の玩具の本体の底面に電池蓋が取り付けられた状態の一例を示す模式図（一部透視図）である。符号１は玩具の本体、符号２は電池蓋であり、ともにプラスチック製であって、電池蓋２を本体１から取り外すことで、図略の電池ボックスが露出するように構成されている。電池蓋２は、本体１に設けられた差し込み口３に差し込むための差し込み部４（先端が本体１の内部に潜り込む形状となっている）、スライドさせることで本体から突出したスライド部材５を受けるための受け部としての凹部６、硬貨等によって回動できるように頭部に溝が設けられた回動させることで本体１への係止とその開放が可能な回動部材７、を有する。
【００１２】
電池蓋２を本体１に取り付ける際、本体の差し込み口３に差し込み部４を差し込んだ後、本体１に設けられたスライド部材５を電池蓋２の方向に突出させて電池蓋２の受け部６で受ける操作と、硬貨等を用いて回動部材７を回動させて本体に係止する操作を行うことで、電池蓋２は閉蓋される。
【００１３】
従って、電池蓋２を本体１から取り外す際、電池蓋２を本体１に取り付ける際と逆の手順、即ち、本体１から突出したスライド部材５を突出させる前の元に戻す操作と、硬貨等を用いて回動部材７を回動させて本体１への係止を開放する操作の２つの操作を行わなければ、本体１の差し込み口３から差し込み部４を外すことができないので、電池蓋２は開蓋されない。よって、電池蓋２は、本体１から、ドライバーを使用しなくても取り外すことができるが、容易に取り外すことができないものであるので、幼児からお年寄りまで、安心安全に楽しむことができる電池ボックスを備える玩具の提供を可能にする。
【産業上の利用可能性】
【００１４】
本考案は、ドライバーを使用しなくても取り外すことができ、かつ、容易に取り外すことができない電池蓋で覆われた電池ボックスを備える玩具を提供することができる点において産業上の利用可能性を有する。
【符号の説明】
【００１５】
１  電池ボックスを備える玩具の本体（本体の底面）
２  電池蓋
３  差し込み口
４  差し込み部
５  スライド部材
６  受け部（凹部）
７  回動部材
【図１】
0003225798.tif 000003